(57)【要約】      （修正有）【課題】従来にない風合いを有し、耐久性に優れるカンナ屑で造形された薔薇の花の形状のディフューザーを提供する。【解決手段】桧葉材のカンナ屑を素材として立体的に薔薇の花を表現した造形物であって、薔薇の花１全体にアロマオイルのディフューザー２機能が付与され、容器３に収納されており、木材の材質としては、桧葉材が用いられており、香りが楽しめるだけでなく、桧葉材の持つ消臭効果や防虫効果も実用的に活かすことができる。木製材料の材質は桧葉材に限られず、檜材、スプルース、ブナ、スギ、マツ、サクラ、トチノキ、ナラ、パイン、オーク、チーク、ビーチ、ローズウッド、キリ、クスノキ、ツガ、シイの木材を用いることもでき、各々の材質の持つ香りや特性が楽しめる。さらに、薔薇の花の形状のディフューザーを複数組み合わせて陶磁器等の収納容器３に配設された構成のディフューザー２のセットとすることもできる。【選択図】図１
0003231238.tif 000002
【実用新案登録請求の範囲】
【請求項１】
木製材料のカンナ屑を素材として立体的に薔薇の花を表現した造形物であって、
上記バラの花全体にアロマオイルのディフューザー機能が付与されている、
ことを特徴とするカンナ屑で造形された薔薇の花の形状のディフューザー。
【請求項２】
上記木製材料の材質として、桧葉材、檜材、またはスプルース、ブナ、スギ、マツ、サクラ、トチノキ、ナラ、パイン、オーク、チーク、ビーチ、ローズウッド、キリ、クスノキ、ツガ、シイの木材を用いることを特徴とする、請求項１に記載のカンナ屑で造形された薔薇の花の形状のディフューザー。
【請求項３】
請求項１または２に記載のカンナ屑で造形された薔薇の花の形状のディフューザーが単数または複数組み合わせて収納されているディフューザーのセット。
【請求項４】
上記ディフューザーのセットの収納容器として陶磁器や木製花器、貼り箱、ガラス製の器が用いられることを特徴とする、請求項３に記載のディフューザーのセット。
【考案の詳細な説明】
【技術分野】
【０００１】
本考案は、カンナ屑で造形された薔薇の花の形状のディフューザーに関する。
【背景技術】
【０００２】
従来からある造花、プリザーブドフラワーは、素材としてシルクやポリエステルなどの柔らかい布や加工されたドライフラワーが用いられることが一般的であった。
【０００３】
材料として布や加工されたドライフラワーが用いられているため柔らかく、見た目の印象も生花に近いが、長期間形状を保つことが困難で、雨などで濡れると劣化するという欠点がある。また、製作時に裂けやすく加工も容易ではない。
【０００４】
花と同じ植物の素材として木材があるが、木材は固くて花びらの形態を自由に表現することは困難であり、木材をそのまま用いて花の造形を行おうとすれば通常は彫刻という形態を採用するほかなかった。
特許文献１には造花についての考案が開示されている。
【先行技術文献】
【特許文献】
【０００５】
【特許文献１】特開２００５−２００７８１号公報
【考案の概要】
【考案が解決しようとする課題】
【０００６】
しかしながら、特許文献１の考案は造花に関するものではあるが、木製材料を用いて従来にない風合いを有し、しかも耐久性に優れた造花であってディフューザー機能を有するものを提供する技術に関するものではない。
【０００７】
本考案は上記問題点に鑑み、木製材料を用いて耐久性を有する薔薇の花の造形を行うことを可能にするとともに、単なる造形物に留まらず、花全体がアロマオイルのディフューザー機能を有しており、精油を中心部に垂らすことによりさらにその香りを楽しむ快適な空間を演出しうる機能を備えた、カンナ屑で造形された薔薇の花の形状のディフューザーを提供することを課題とする。  
【課題を解決するための手段】
【０００８】
上記課題を解決するために、請求項１の考案は、木製材料のカンナ屑を素材として立体的に薔薇の花を表現した造形物であって、バラの花全体にアロマオイルのディフューザー機能を有していることを特徴とする。
請求項２の考案は、さらに、木製材料の材質として、桧葉材、檜材、またはスプルース、ブナ、スギ、マツ、サクラ、トチノキ、ナラ、パイン、オーク、チーク、ビーチ、ローズウッド、キリ、クスノキ、ツガ、シイの木材を用いることを特徴とする。
請求項３の考案は、請求項１または２に記載のカンナ屑で造形された薔薇の花の形状のディフューザーが単数または複数組み合わせて収納されているディフューザーのセットであることを特徴とする。
請求項４の考案は、さらにディフューザーのセットの収納容器として陶磁器や木製花器、貼り箱、ガラス製の器が用いられることを特徴とする。
【考案の効果】
【０００９】
本考案により、木製材料のカンナ屑を素材として立体的に薔薇の花を表現した従来にない風合いを有するディフューザーが提供され、さらに複数の薔薇のディフューザーと容器の組み合わせによりさまざまな雰囲気を演出できるディフューザーセットが提供される。
【図面の簡単な説明】
【００１０】
【図１】本考案の第１の実施形態を示す模式図である。
【図２】本考案の第２の実施形態を示す模式図である。
【考案を実施するための形態】
【００１１】
以下、本考案の第１の実施形態について図を用いて説明する。まず本実施形態の構成について説明する。
【００１２】
図１に示すように、桧葉材のカンナ屑を素材として立体的に薔薇の花を表現した造形物であって、薔薇の花１全体にアロマオイルのディフューザー２機能が付加され、容器３に収納されている。
【００１３】
木材の材質としては、本実施形態では桧葉材を用いている。そのさわやかな香りが楽しめるだけでなく、桧葉材の持つ消臭効果や防虫効果も実用的に活かすことが可能である。
【００１４】
さらに、桧葉材のカンナ屑に水分を霧吹きで適量含ませ、カンナ屑を扱いやすくすることにより造形が可能となった薔薇の花１全体にはアロマオイルのディフューザー２機能が付与されており、アロマオイルを選ぶことで種々の香りを楽しむことができる。
【００１５】
上述のように、造花は一般的に布を材料として作られており、柔らかな触感は自然に出せるものの耐久性や、製作時の破れやすいといった困難さも併せ持っていた。本実施形態の薔薇の花１は木材を用いて花びらの形態を表現する新たな方法を見出し、それにより従来にない色合いや質感を、しかも複雑な形態の薔薇の花で表現することを可能としたのである。
【００１６】
すなわち、桧葉材を鉋で削ってできる薄いカンナ屑を用いることで、薔薇の花びらのような複雑な形態が表現できることを見出し、この造形物にさらに実用的なディフューザー２としての機能を付加したのである。
造形に際しては、水分を含ませて作った花びら９枚を３回に分けて、芯に巻き付けていく。芯の太さによって花の大きさを変えている。
最初の一段目は長さ１０センチほどのカンナ屑で小さめの花びらをつくり、芯より花びらが５ミリほど出る感じで芯に沿うように巻いていく。
２段目は初めに巻いた花びら同士の間にできた空間（谷部分)から花びらが見えるように重ねていく。３段目も同様に行う。
花の根元を縛る際は、和裁で使われる木綿糸やしつけ糸で花びらがふわりと開花するような力加減で解けない様に巻く。
【００１７】
このカンナ屑を用いて造形を行うカンナ屑アートのようなものは、従来から大工さんの訓練の一環として、いかに薄く材木に鉋をかけられるか、といった観点で行われていた例はあったようである。薄く削られたカンナ屑を用いて切り絵を行うなど、カンナ屑を平面的に利用する工芸品の例もみられる。
【００１８】
ただし、カンナ屑を立体的に用いて薔薇の花を造形することは、カンナ屑フラワーアートとして一枚の長いカンナ屑を連続して捻りながら芯に巻きつけていくという別の方法で平面的な花びらの薔薇が製作されている以外、従来行われてはいなかった。実際に完成したカンナ屑による薔薇の花は、木から花を造形するということであり、一種独特の風合いを感じさせるものである。
【００１９】
本実施形態ではこの桧葉材のカンナ屑による薔薇の花１の形状に、さらに香りの要素を加えたものである。すなわち、花１全体にディフューザー２機能を付与することで、単なる置物としてだけでなく、よい香りを放つことで、さらに積極的に周囲の空間に働きかける造形物としたものである。
【００２０】
カンナ屑として使用する木材の材質としては桧葉材には限られず、檜材やスプルース、ブナ、スギ、マツ、サクラ、トチノキ、ナラ、パイン、オーク、チーク、ビーチ、ローズウッド、キリ、クスノキ、ツガ、シイの木材といった種々の材質の木材を用いることが可能であり、それぞれの材料に特有の香りや保存性などの優れた性質を活用することが出来る。
【００２１】
次に本考案の第２の実施形態について図２を用いて説明する。
本実施形態では、上述したカンナ屑による薔薇の花の形状のディフューザーが複数組み合わせて収納されているディフューザーのセットである。
図２に示すように、複数の薔薇の花１が陶磁器の収納容器３に配設された構成のディフューザー２のセットとなっている。さらに、アロマオイルの入った容器４が備えられており、ディフューザー２の香りが減少した際には補充ができる構成としている。
【００２２】
このような収納セットは、全体として様々の形態で咲く薔薇を表現とすることもできる。さらに、収納容器３として本実施形態の陶磁器の替わりに木製花器、貼り箱、ガラス製の器を用いること等により日本文化の表現（薔薇は日本原産ということもある）の手段として新たな形態を提供しうるものである。
【符号の説明】
【００２３】
１  薔薇の花
２  ディフューザー
３  収納容器
４  容器
【図１】
0003231238.tif 000003
【図２】
0003231238.tif 000004
【手続補正書】
【提出日】令和3年1月11日(2021.1.11)
【手続補正１】
【補正対象書類名】実用新案登録請求の範囲
【補正対象項目名】請求項３
【補正方法】変更
【補正の内容】
【請求項３】
請求項１または２に記載のカンナ屑で造形された薔薇の花の形状のディフューザーが複数個組み合わされて収納容器に収納されているディフューザーのセット。
【手続補正２】
【補正対象書類名】明細書
【補正対象項目名】０００８
【補正方法】変更
【補正の内容】
【０００８】
上記課題を解決するために、請求項１の考案は、木製材料のカンナ屑を素材として立体 的に薔薇の花を表現した造形物であって、バラの花全体にアロマオイルのディフューザー 機能を有していることを特徴とする。
請求項２の考案は、さらに、木製材料の材質として、桧葉材、檜材、またはスプルース 、ブナ、スギ、マツ、サクラ、トチノキ、ナラ、パイン、オーク、チーク、ビーチ、ロー ズウッド、キリ、クスノキ、ツガ、シイの木材を用いることを特徴とする。
請求項３の考案は、請求項１または２に記載のカンナ屑で造形された薔薇の花の形状のディフューザーが複数個組み合わされて収納容器に収納されているディフューザーのセットであることを特徴とする。
請求項４の考案は、さらにディフューザーのセットの収納容器として陶磁器や木製花器、貼り箱、ガラス製の器が用いられることを特徴とする。
【手続補正３】
【補正対象書類名】明細書
【補正対象項目名】００２１
【補正方法】変更
【補正の内容】
【００２１】
次に本考案の第２の実施形態について図２を用いて説明する。
本実施形態は、上述したカンナ屑による薔薇の花１の形状のディフューザー２が複数個組み合わされて収納容器３に収納されているディフューザーのセットである
図２に示すように、複数の薔薇の花１が陶磁器の収納容器３に配設された構成のディフ ューザー２のセットとなっている。さらに、アロマオイルの入った容器４が備えられてお り、ディフューザー２の香りが減少した際には補充ができる構成としている。